(57)【要約】      （修正有）【課題】グランドゴルフ競技者が、競技中に屈み込んでマーカー及び／又はボールを拾い上げる苦労が軽減できるグランドゴルフクラブを提供する。【解決手段】グランドゴルフクラブの先端部に磁石３又は爪型キャッチャーを装着して備えており、グランド面に置いたマーカーをこの磁石３で拾い上げ、一方、爪型キャッチャーでボールを拾い上げることができるようにする。これにより、競技者は、体を屈める動作をしなくても、グランドゴルフクラブを用いて、容易にマーカー又はボールを拾い上げることができ、特に、高齢者にとっては、競技中の動作負担の軽減に寄与できるものである。【選択図】図１
0003192803.tif 000002
【実用新案登録請求の範囲】
【請求項１】
クラブの一部にマーカー又はボールを拾い取るキャッチャーを装着して備えたグランドゴルフクラブ。
【請求項２】
クラブの少なくとも一方の先端側にマーカーを拾い取る磁石を備えたグランドゴルフクラブ。
【請求項３】
クラブの一部にボールを拾い取るキャッチャーを付属して備えたグランドゴルフクラブ。
【請求項４】
クラブのヘッド側又はグリップ側の少なくとも一方の先端部にマーカー又はボールを拾い取るキャッチャーを着脱可能構成で備えたグランドゴルフクラブ。
【考案の詳細な説明】
【技術分野】
【０００１】この考案は、グランドゴルフで用いる，マーカー及び／又はボールを拾い上げる際に使利なグランドゴルフクラブに関するものである。
【背景技術】
【０００２】グランドゴルフは、複数人単位のグループが、単一又は複数のグループで集い、個人の打数を競うスポーツ競技であり、各人が交互に自己のクラブにより、グランドゴルフ用ボールを目標のホールポストへ向かってクラブ先端のヘッドで打ってグランドに転がし、ホールインワンを除いて、ボールが止まると、次はその停止位置から再度打つということを繰り返して、そのボールが目標のホールポスト内へ到達して入るまでの合計打数が少ないほど上位の順位となるように競う運動競技である。【０００３】グランドゴルフ競技では、通常、競技場（グランド）で先番者が後番者と競技を交替する際、先番者の打ったボールが後番者の進路障害になることを避けるために、先番者は打ったボールを拾い上げ、その際に先番者は、グランド面のそのボールの後に確認用目印として所定のマーカーを置いている。【０００４】競技内容を詳細に言えば、グループ内での複数の競技者は、まず、第１打者が、ホールポストを目掛けて、第１打を打ってボールが止まると、そのボールの後ろの位置にマーカーを置いてから、ボールを拾い上げる。ついで、第２打者も第１打者と同じように、第１打を打って、そのボールが止まると、そのボールの後ろの位置にマーカーを置いてから、ボールを拾い上げる、という動作を行う。グループ内が３人以上の場合には、それぞれが順番に、その行動を繰り返して競技が進行することになる。【０００５】ところで、グランドゴルフの運動競技は、スタート地点からホールポストまで、歩くことが主体の軽いスポーツではあるが、競技者とっては、途中でマーカーを置き、ボールを拾う、あるいはマーカーを拾いボールを置く。その際に各人は、一打ごとに身体を屈めては立ち上るという行動が必要であり、運動競技者にとってはその毎回の動作がかなり負担である。とりわけ、高齢者においては、この動作の負担のゆえに、この競技への参加から遠ざかることも間々見受けられる。
【考案の概要】
【考案が解決しようとする課題】
【０００６】この考案は、競技者が身体を屈めては立ち上るという動作をしなくて済むように、グランドゴルフクラブを改良、工夫したものである。
【課題を解決するための手段】
【０００７】この考案のグランドゴルフクラブは、クラブの一部にマーカー及び／又はボールを拾い取るキャッチャーを装着して備えたものである。【０００８】この考案のグランドゴルフクラブは、クラブの少なくとも一方の先端側にマーカーを拾い取る磁石を備えたものである。【０００９】この考案のグランドゴルフクラブは、クラブの先端部にボールを拾い取るキャッチャーを付属して備えたものである。
【考案の効果】
【００１０】この考案のグランドゴルフクラブによると、競技者は、クラブの先端部のキャッチャーをグランドに静止のマーカー又はボールに近づけて、そのキャッチャーでマーカー又はボールを拾い上げることができる。すなわち、競技者は、クラブの長さを利用することにより、身体を屈めては立ち上るという動作をしなくて済むようになり、体への負担が顕著に軽減され、とりわけ高齢者にとって、その効果は絶大である。
【図面の簡単な説明】
【００１１】
【図１】この考案の実施例の概要外観の正面見取図である。
【図２】この考案の別の実施例の概要側面図である。
【図３】この考案の他の実施例の概要側面図である。
【図４】この考案に係るボールのキャッチャーの概要見取図である。
【考案を実施するための形態】
【００１２】この考案のグランドゴルフクラブについて、実施の形態を実施例により、以下、図を参照して詳細に述べる。なお、各図面は寸法並びに相対的な大きさを正確に表現したものではない。
【実施例】
【００１３】図１は、実施例グランドゴルフクラブの概要外観の正面見取図である。標準的な外形寸法は、財団法人、日本グランドゴルフ協会のルールブックに示されている通りで、シャフト１の一端にヘッド２が取付けられており、シャフト１は直径３０ｍｍ以内の棒状体、ヘッド２は縦幅７ｃｍ以上８ｃｍ以下、横幅１４ｃｍ以上１６ｃｍ以下、厚さ４ｃｍ以上４．５ｃｍ以下で、シャフト１の先端からヘッド２の端までの長さ寸法が５０ｃｍ以上１００ｃｍ以下であればよく、そのシャフト１の先端面に円形の磁石３を装着している。【００１４】この実施例グランドゴルフクラブを用いると、競技者は、次に回ってきた打順の際に、先の打順で打ち放ったボールの止まった後ろ位置に置いていたマーカーを、図１に示すグランドゴルフクラブに装着した磁石３の磁力で拾い上げることができる。この場合は、クラブのシャフト１の先端の磁石３がマーカーに対してのキャッチャーとして機能することになる。実用のマーカーは、直径３０ｍｍ以内の厚み約１ｍｍの鉄などの磁性体，いわゆるコイン型円盤である。このコイン型のマーカーがクラブのシャフト１の先端に磁力で付着した状態でも、競技者のクラブ操作にはほとんど影響がない。【００１５】図２は、他の実施例グランドゴルフクラブの概要側面図であり、クラブのシャフト１の先端にボールを挟んで拾うことのできるボール挟み体（以下、爪型キャッチャーという）４を装着したものである。グランドゴルフ用ボールは、直径約６ｃｍの球形であるので、爪型キャッチャー４は、このボールを抑えて掴む爪様の鈎手を持った構造が有効に利用できる。【００１６】図２に示した爪型キャッチャー４は、付属部品として用意し、使用時にクラブのシャフト１の先端に、例えば螺止め等の嵌め込み可能な一体的に装着し得る構成にすることで、不使用時には脱離でき、携帯、保管に至極便利である。なお、この図２とは異なるが、この爪型キャッチャー４をシャフト１先のヘッド２に近く、ボールの打面とは裏側に移して設けることも可能である【００１７】図３は、また他の実施例グランドゴルフクラブの概要側面図であり、クラブのヘッド２の裏側に、ボールを挟んで拾うことのできる，ループ状のワイヤ等で成型加工した構造体でなるキャッチャー（以下、リング型キャッチャーという）５を装着したものである。この場合も、リング型キャッチャー５はヘッド２の打面とは反対の面側に、着脱可能な形式で設置すると好都合である。【００１８】図４は、図３で示したリング型キャッチャー５の構造の外観見取図である。このループ状のワイヤ等で成型加工した構造体は、下面側のボールを拾い得る輪状部６と上方部の二重輪状部でなる把持部７とを備える。そして、上方部の把持部７でシャフト１を抱いて取付け、下面側の輪状部６の曲部にボールの直径と同程度の曲率のリングを設けたことにより、この輪状部６でボールを掴み取る。このリング型キャッチャー５は、輪状部６及び把持部７を、ループ状のワイヤ等で一体に成型加工して、軽量で、工作も簡単な作りであり、そのワイヤ等のバネ作用で、シャフト１への取付けと輪状部６でボールを掴み取ることができるので、取付け固定及びボールの取り出しも容易である。【００１９】なお、図３及び図４におけるリング型キャッチャー５の構造は、これに限定されるものではなく、シャフト１への取付け把持部７をバンド締着してもよい。
【産業上の利用可能性】
【００２０】この考案のグランドゴルフクラブは、クラブの先端部のキャッチャーをグランドに静止のマーカー又はボールに近づけて、そのキャッチャーでマーカー及び又はボールを拾い上げることができるものであり、競技者が、身体を屈めては立ち上るという動作をしなくて済む、すなわち、立ったままでマーカー又はボールを拾い上げることができるから、高齢者には、身体を屈めては立ち上る動作ができないことを気にせずとも、歩けるだけで１日中、楽しくプレーを続けることができる。これは、また、例えば、歩けるのにゲームへの参加を遠ざけることもなくなり、ストレス発散、健康増進で明るい生活を送ることへの副次的な効果が絶大で、競技人口の増加、社会的活動、健康産業の高度な活性化、発展に資するものである。
【符号の説明】
【００２１】１  シャフト
２  ヘッド
３  磁石
４  爪型キャッチャー
５  リング型キャッチャー
【図１】
0003192803.tif 000003
【図２】
0003192803.tif 000004
【図３】
0003192803.tif 000005
【図４】
0003192803.tif 000006